(57)【要約】【課題】  風向及び風速を検出場所で容易に確認する。【解決手段】  屋外に設置され、風向及び風速を検出する検出部と、屋外において検出部と一体あるいは近傍に設置され、検出部の検出信号に基づいて風向及び風速を報知する報知部とを具備する。【選択図】      図１
2006308297.tif 000002
【特許請求の範囲】
【請求項１】
風向及び風速を検出する検出部と、
前記検出部と一体あるいは近傍に設置され、前記検出部の検出信号に基づいて風向及び風速を報知する報知部と
を具備することを特徴とする風向風速計。
【請求項２】
報知部は、いくつかの代表方位方向に対して複数配列する発光体から形成されており、風向に対応する代表方位方向の発光体を風速に応じた個数だけ発光させる
ことを特徴とする請求項1記載の風向風速計。
【請求項３】
報知部は、風向を文字表示、また風速を数値表示することを特徴とする請求項1または２記載の風向風速計。
【発明の詳細な説明】
【技術分野】
【０００１】
本発明は、風向風速計に関する。
【背景技術】
【０００２】
一般に知られている風向風速計は、屋外に設置され、姿勢が風向に応じて変化すると共に回転数が風速に応じて変化する検出部と、屋内に設置され、上記検出部から出力された検出信号を風向及び風速を示す信号に変換する変換器から構成されている。上記検出部は、風向に応じた姿勢を検出信号として変換器に出力すると共に、風速に応じた回転数を同じく検出信号として変換器に出力する。これに対して、変換器は、姿勢を示す検出信号を方位を示す信号に変換すると共に、回転数を示す検出信号を風速を示す数値信号に変換する。このような風向風速計については、例えば以下の非特許文献１に開示されている。
【特許文献１】http://www.yokogawa.co.jp/YDK/Products/Kankyo/A7401/index.htm
【発明の開示】
【発明が解決しようとする課題】
【０００３】
ところで、上述したように従来の風向風速計は、検出部で検出した風向及び風速を変換器を介して外部に情報（信号）として提供するものであり、検出部の設置場所で検出結果を確認できるようには構成されていない。風向については、方位を示す方位部材が附属しており、検出部の姿勢と方位部材との関係からその場で風向を目視確認できるものがあるが、視認性が悪く検出部から多少距離が隔たると目視確認できない。
【０００４】
本発明は、上記事情に鑑みてなされたものであり、風向及び風速を検出場所で容易に確認することを目的とするものである。
【課題を解決するための手段】
【０００５】
上記目的を達成するために、本発明では、第１の解決手段として、風向及び風速を検出する検出部と、前記検出部と一体あるいは近傍に設置され、前記検出部の検出信号に基づいて風向及び風速を報知する報知部とを具備する、という手段を採用する。
また、第２の手段として、報知部は、いくつかの代表方位方向に対して複数配列する発光体から形成されており、風向に対応する代表方位方向の発光体を風速に応じた個数だけ発光させる、という手段を採用する。
さらに、第３の手段として、報知部は、風向を文字表示、また風速を数値表示する、という手段を採用する。
【発明の効果】
【０００６】
本発明によれば、検出部の検出信号に基づいて風向及び風速を報知する報知部が検出部と一体あるいは近傍に設けられるので、検出部の近傍に居る人、つまり風向風速の検出場所近傍の人は、報知部からの報知に基づいて自らが居る場所の検出部が検出した風向及び風速を確認することができる。
【発明を実施するための最良の形態】
【０００７】
以下、図面を参照して、本発明の一実施形態について説明する。
図１は、本実施形態に係る風向風速計の機能構成を示すブロック図である。本風向風速計は、図示するように屋外に設置された発信器Ａと屋内に設置された変換器Ｂとから構成されている。
【０００８】
発信器Ａは、本風向風速計において特徴的な部分であり、検出部１、ＣＰＵ（Central Processing Unit）２及び表示部３から構成されている。なお、ＣＰＵ２及び表示部３は、本実施形態における報知部を構成している。
【０００９】
検出部１は、周知の構成要件であり、垂直翼を備えると共に垂直軸回りに回転自在に固定された本体と回転軸が水平となるように上記本体の一端に回転自在に取り付けられたプロペラ等から構成されている。このような検出部１は、垂直翼が風を受けることにより風向に応じて本体の垂直軸回りの姿勢（回転位置）が変化し、プロペラが風を受けることにより風速に応じてプロペラの回転数が変化する。検出部１は、本体の垂直軸回りの回転位置を風向検出信号としてＣＰＵ２に出力すると共に、プロペラの回転数を風速検出信号としてＣＰＵ２に出力する。
【００１０】
ＣＰＵ２は、上記風向検出信号及び風速検出信号をバッファリングして変換器Ｂに出力する一方、風向検出信号及び風速検出信号を表示信号に変換して表示部３に出力する。表示部３は、上記ＣＰＵ２から入力される表示信号に基づいて検出部１が検出した風向及び風速を所定の表示形式で視覚的に表示するものであリ、屋外において上記検出部１と一体あるいは近傍に設置されている。
【００１１】
図２は、表示部３の構成を示す模式図である。この表示部３は、８つの代表方位、つまり「東」、「西」、「南」、「北」、「北東」、「南東」、「南西」及び「北西」に対応して各々６個配列した丸型発光体４から形成されている。すなわち、表示部３は、図示するように、６個の丸型発光体４が中心から代表方位に対応して放射状に直線配置されたものである。図２では、例えば緑色発光している丸型発光体４を白丸で示し、赤色発光している丸型発光体４を黒丸で示している。
【００１２】
ＣＰＵ２は、このような表示形式の表示部３に対し、何れの代表方位の丸型発光体４を赤色発光させるかを指示する表示信号を風向検出信号に基づいて生成して出力すると共に、何個の丸型発光体４を赤色発光させるかを指示する表示信号を風速検出信号に基づいて生成して出力する。
【００１３】
変換器Ｂは、上記ＣＰＵ２から受信した風向検出信号を例えば方位を示す信号に変換して外部に出力すると共に、風速検出信号を例えば風速を示す数値信号に変換して外部に出力する。なお、このような変換器Ｂは、風向風速計が従来から備えている構成要素である。
【００１４】
次に、このように構成された風向風速計の動作について詳しく説明する。
検出部１は、屋外に設置されているので、風向と風速とを常時検出し得る状態にある。すなわち、検出部１は、風が吹けば、その風向を検出し風向検出信号としてＣＰＵ２に出力すると共に、その風速を風速検出信号としてＣＰＵ２に出力する。これに対して、ＣＰＵ２は、上記検出部１から入力される風向検出信号及び風速検出信号に基づいて表示信号を生成することにより表示部３を駆動する。
【００１５】
表示部３は、上述したように各代表方位について６個の丸型発光体４から構成されているので、風速を６段階つまり強度１〜６として表示し得るものである。例えば、強度３の北東の風が吹いた場合は、図２に示すように「北東」の代表方位に対応する６個の丸型発光体４のうち、先端の３個が赤色発光し、中心により近いところに位置する残りの３個が緑色発光する。このような検出部１と一体あるいは近傍に設置された表示部３に風向及び風速が表示されることにより、屋外の発信器Ａ近傍（つまり検出部１近傍）に居る人、つまり検出部１の検出現場に居る人は、検出部１が検出した風向及び風速を視覚的に容易に確認することができる。
【００１６】
例えば、発信器Ａがゴルフ場のコース近傍に設置されている場合、ゴルフプレイヤは、自らがプレイしているコース近傍の風向と風速とをコースに居ながらにして容易かつ確実に把握することができる。従来の風向風速計には、風向については発信器の設置現場に概容を示するものがあったが、視認性が悪く、発信器から少し離れると風向を十分に把握できなかったが、本風向風速計は、丸型発光体４によって風向を表示するので、発信器の設置現場における風向を昼夜を問わず容易かつ確実に確認することができる。
【００１７】
なお、本発明は上記実施形態に限定されるものではなく、例えば以下のような変形が考えられる。
（１）上記実施形態は本発明を風向風速計に適用したものであるが、本発明は、風向風速計に限定されることなく、風向計あるいは風速計にも適用可能である。
（２）また、本発明における報知部の報知形式は、視覚的な表示に限定されない。風向あるいは／及び風速を外部に表示することに代えて、音声を用いて風向あるいは／及び風速を外部に報知しても良い。
【００１８】
（３）上記実施形態における表示部３の表示形式はあくまで一例であり、本発明はこれに限定されるものではない。風向あるいは／及び風速を視覚的に表示する方法には様々な方法が考えられる。例えば、風速については電飾による数値表示等が考えられ、風向については電飾による矢印表示等が考えられる。
【図面の簡単な説明】
【００１９】
【図１】本発明の一実施形態の機能構成を示すブロック図である。
【図２】本発明の一実施形態における表示部の構成を示す模式図である。
【符号の説明】
【００２０】
Ａ…発信器、Ｂ…変換器、１…検出部、２…ＣＰＵ（Central Processing Unit）、３…表示部
【図１】
2006308297.tif 000003
【図２】
2006308297.tif 000004